(57)【要約】      （修正有）【課題】錠ケースを扉芯に固定する錠ケースの振れ止め装置を錠ケースフロント側からだけで操作出来るようにする。【解決手段】錠ケース１に対して外側扉厚に対応する外バー１３と、内側扉厚に対応する内バー１４の独立した２系統の振れ止めを設け、錠ケースフロント２に設けた外側操作部９と内側操作部１０を独立操作することで、扉の厚さや扉の芯違いや扉の左右勝手を区別すること無く使用できる内外独立操作振れ止め機構とした。【選択図】図１
2008045282.tif 000002
【特許請求の範囲】
【請求項１】
１個の錠ケース（１）に、外側扉厚（２４）に対応する外側振れ止めと、内側扉厚（２５）に対応する内側振れ止めの独立した２組の振れ止めを設け、錠ケースフロント（２）に外側振れ止めを操作する外側操作部（９）と、内側振れ止めを操作する内側操作部（１０）の独立した２個の操作部を設けた振れ止め機構で、独立した２個の操作部を操作することで等芯扉や芯違いの扉の区別無く、扉の厚さ違いも区別する事無く使用できる錠ケースの独立操作振れ止め機構。
【請求項２】
請求項１に記載された独立操作振れ止め機構であって、リンク機構からなる外バー（１３）と内バー（１４）を伸縮させることによって錠ケースを扉芯に固定することを特徴とする独立操作振れ止め機構
【請求項３】
請求項１に記載された独立操作振れ止め機構であって、羽根のように扉の外側と内側にそれぞれ開く外バー（２６）と内バー（２７）を開閉させることによって錠ケースを固定することを特徴とする独立操作振れ止め機構
【発明の詳細な説明】
【技術分野】
【０００１】
錠ケースを扉に取り付けた後に、錠ケースフロント側に設けた操作部を回して錠ケースの左右両側に足を広げ、扉内で錠ケースを固定
する技術に関する。
【背景技術】
【０００２】
扉内に取り付けた錠ケースが扉内で左右側に振れると、取手を回しにくくなる等の作動障害が発生する。
また扉のこじ開け等に対して錠の強度が弱くなる。
錠ケースの振れを無くし、それらを防止するのが、振れ止めの役割である。
【０００３】
従来の一般的な振れ止めを示すのが図５である。
これは同じ長さの右バー（３８）と左バー（３７）の両振れ止めバーを、1個の操作軸（３４）の操作部（３３）を、ドライバー等を使って回し、左右バーを錠ケースの左右側に平等に広げる事で錠ケースを扉芯に固定する。
【０００４】
近年は、図４Ａ，４Ｂで示したような芯違い扉が増えている。
これらの扉では扉芯は扉の中央に無く、外側扉厚（２４）と内側扉厚（２５）が大きく違うのが普通である。内外扉厚の比も扉の種類によって違うことが多い。そのような扉に対しては、図５の振れ止めは使えない。
【０００５】
そこで、芯違い扉に使える振れ止め、扉芯が中央にある扉と芯違いの扉の両方に使える振れ止めとして、図６Ａ、６Ｂで示したものが考えられる。
【０００６】
図６Ａ，Ｂで示したのが、特願２００６−１７３０７８（ＬＯＣＫ１６８）に係る発明である。
図６Ａが図５の振れ止めの右バーと左バーの長さを最初から扉寸法に合わせて作り、扉の左右勝手に対しては右バーと左バーの向きを逆向きに変えられるようにしたものである。
図６Ａの振れ止めは大量に生産する１種類のレディメードドアを対象にしたものであり、等芯扉や複数の種類の芯違い扉には対応できない。
【０００７】
図６Ｂで示したのが右バー（３８）や左バー（３７）にそれぞれ延長バー（４４）を組み付ける事で、延長バーの長さや、左右バーへの組み付けによって、違った扉厚の等芯扉や違った種類の芯違い扉に対応するものである。
そのため、図６Ｂの振れ止めは図６Ａの振れ止めの右バー、左バーと同様に延長バー（４４）の寸法を扉の厚さ毎に選んで組み付ける煩わしさのある事が欠点である。
【特許文献１】特願２００６−１７３０７８
【発明の開示】
【発明が解決しようとする課題】
【０００８】
錠ケースの振れ止めで、扉の厚さの区別無く利用でき、等芯扉と芯違い扉の区別無く利用でき、扉の左右勝手の区別無く利用でき、それらの扉への対応にあたって何らの選択をすること無く使用でき、錠ケースフロント側から操作する使い易い振れ止めを実現することが課題である。
【課題を解決するための手段】
【０００９】
以上の課題を解決するためには、いくつかの方法が考えられるが、錠ケースフロント側から操作する限りにおいては、強度や信頼性の点で、２系統の振れ止めの方が１系統の振れ止めよりも優れている。
そこで、振れ止め装置を外側振れ止めと内側振れ止めの２系統として、各々の振れ止めの操作部を錠ケースフロントに設け、外側と内側を独立して操作することで、外側の扉厚に対して自由に対応し、内側の扉厚に対して自由に対応することを考えた。
【００１０】
２系統の振れ止めを使った本発明の振れ止め機構を図１，３，４に基づいて説明する。
１系統として、外側操作部（９）を操作して操作軸（１１）を回し、操作軸に設けたネジ（１９）によって外スライダー（１５）を動かし、スライダーと錠ケースの固定軸（１７）に組み付けた外バー（１３）を広げて外側扉厚に対応するのが外側振れ止めである。
あと１系統として、内側操作部（１０）を操作して操作軸（１２）を回し、操作軸に設けたネジ（２０）によって内スライダー（１６）を動かし、スライダーと錠ケースの固定軸（１８）に組み付けた内バー（１４）を広げて内側扉厚に対応するのが内側振れ止めである。
【００１１】
外側操作部や内側操作部を操作して外バーや内バーを突き出す、又は広げる仕組みは、図５、図６に示したものや従来の仕組みを応用しても良い。本発明の主旨は１個の錠ケースに対して振れ止めを外側扉厚用と内側扉厚用の独立した２系統を設け、外側扉厚と内側扉厚に独立して対応する事で課題の全てを解決するものである。
【００１２】
図３Ｂは、等芯扉に対して外側振れ止めと内側振れ止めを操作して扉芯（２３）に錠ケース（１）を固定したことを示す。
図４Ａは、外側扉厚（２４）が小さく、内側扉厚（２５）の大きい芯違い扉に対して扉芯（２３）に錠ケース（１）を固定したことを示す。
図４Ｂは、外側扉厚（２４）が大きく、内側扉厚（２５）の小さい芯違い扉に対して扉芯（２３）に錠ケース（１）を固定したことを示す。
【００１３】
請求項２記載の機構は、振れ止めの外バー（１３）と内バー（１４）に、図１、２、３、４で示したリンク機構を使った振れ止め機構である。
請求項３記載の機構は、振れ止めの外バー（２６）と内バー（２７）に図８、９で示した羽根状の機構を使った振れ止め機構である。
【発明の効果】
【００１４】
本発明の内外独立操作振れ止め機構を使うことで、図３Ｂで示したように等芯扉の扉芯に錠ケースを固定することが可能で、図４Ａ，Ｂで示したように芯違い扉の扉芯に錠ケースを固定することが可能で、扉の厚さや芯違い比や、扉の左右勝手を区別すること無く扉芯に錠ケースを固定することが可能となる。
扉厚の違いや、芯違い比や扉の左右勝手に対応する為に、何らの選択や設定をする事も無く使用する事が出来る。
【発明を実施するための最良の形態】
【００１５】
本願発明を実施するための最良の形態を図３、図４に基づいて説明する。
１個の錠ケースに対して外側操作部（９）を操作してリンク機構の外バー（１３）を突き出す外側振れ止めと、内側操作部（１０）を操作してリンク機構の内バー（１４）を突き出す内側振れ止めの、独立した２系統の振れ止めを設けた点を特徴とする。いわば、請求項２記載の機構である。
【００１６】
等芯扉に対する使い方を、図３に基づいて説明する。
まず、錠ケース（１）を扉（２２）の戸先にビス止めする。
次に、外側操作部（９）をドライバーで回し、外バー（１３）を突き出す。ドライバーが少し重くなるまで回す。ドライバーが重くなった所が、外バーが外側扉板の内側に当たった状態である。
次に、内側操作部（１０）をドライバーで回し、内バー（１４）を突き出す。
ドライバーが重くなるまで回す。ドライバーが重くなった所が、内バーが内側扉板の内側に当たった状態である。内外側操作部のどちら側から先に行っても良い。
以上の操作により、図３Ｂのように錠ケースを扉芯（２３）に固定することが出来る。
【００１７】
錠ケースを扉に取り付けるにあたり、錠ケースをビス止めする為の取り付けステーがねじれている事が良くある。扉毎に取り付けステーのねじれが多少あるといったほうが良い。錠ケースは扉芯に対して錠ケース奥が１〜２ミリメートル程度振れて固定されていても錠ケースの機構に支障は発生しない。
しかし、それ以上振れて固定されると支障が発生する。
そのため、正確に錠ケースを扉芯に固定したほうが良い。扉の錠ケースを取り付けた後の錠ケースの振れ止め操作の完了にあたり、シリンダー、サムターン、取手等を錠ケースに組み付ける為に扉に開けた穴を利用して、扉面から錠ケースまでの距離を確認し、もし錠ケースが扉芯から振れていれば微調整の為に内外側操作部を微操作して、錠ケースを扉芯に固定する。
【００１８】
扉の厚さが薄い時は外バー（１３）や内バー（１４）の突き出しが少なくて済み、その分内外側操作部の操作は少なくて済む。
扉の厚さが厚い時は外バーや内バーの突き出しを大きくする為に、その分内外操作部の操作は多くなる。
【００１９】
芯違い扉に対する使い方を図４Ａ、Ｂに基づいて説明する。
図４Ａは外側扉厚（２４）が薄く、内側扉厚（２５）が厚い芯違い扉である。
先ず、錠ケース（１）は扉（２２）の戸先の扉芯（２３）にビス止めする。
次に、外側操作部をドライバーで回し、外バー（１３）を突き出して外側扉板の内側に当てる。
そして、内側操作部をドライバーで回し、内バー（１４）を突き出して内側扉板の内側に当てる。振れ止め操作完了にあたっての錠ケース芯位置の確認と微調整は、等芯扉時と同じである。振れ止め操作は、内外側操作部のどちら側から先に行っても良い。
扉厚の小さい側の操作は少なくて済み、扉厚の大きい側の操作は多く必要となる。
外側扉厚（２４）が大きく、内側扉厚（２５）の小さい図４Ｂの扉に対する使い方も同じである。
【００２０】
本発明の内外独立操作振れ止め機構を使うにあたり注意すべきことがある。それは、最初の操作部を操作する際、ドライバーが重くなっても操作部を回し続けるとその側のバーが必要以上に突き出してしまい、錠ケースが大きく振れてしまうことである。その点に注意して取り付け、振れ止め操作完了時に錠ケースが扉芯に固定されたことを確認し、もし扉芯から振れていれば内外側操作部を微調整して錠ケースを扉芯に固定する事が必要である。
本発明では扉に合わせて設定や選択が必要ない分その事が重要である。
【実施例１】
【００２１】
図７に示すものが実施例１である。図１において左右に配置されていた操作部や振れ止めバーを上下に配置した点を特徴とする。ケース厚の小さな錠ケースに振れ止めを設けたい場合に有効である。
【実施例２】
【００２２】
図８、図９に示すものが実施例２であり、請求項３記載の機構を示す。リンク機構としての外バー（１３）、内バー（１４）ではなく、扉の外側と内側にそれぞれ羽根のように開く外バー（２６）と内バー（２７）を用いたものである。
【００２３】
操作部や振れ止めバーは、図８、図９に示したように上下２段に設けてもよいし、図１のように左右に２系統設けてもよい。
【図面の簡単な説明】
【００２４】
【図１】発明の外側振れ止めと内側振れ止めの独立した２系統の振れ止めを持つ錠ケースの斜視図である。
【図２】図１を真横から見た図である。
【図３】Ａ，図１を等芯扉に取り付け、扉内を上から見下ろした図である。  Ｂ，Ａ図の２系統の振れ止めを操作し、錠ケースを扉芯に固定した事を示す。
【図４】Ａ，図１を内側扉厚の厚い芯違い扉に取り付け、錠ケースを扉芯に固定したことを示す。Ｂ，図１を外側扉厚の厚い芯違い扉に取り付け、錠ケースを扉芯に固定したことを示す。
【図５】従来の一般的な振れ止めの仕組みを示す。
【図６】Ａ，特願２００６−１７３０７８の機構で、振れ止めの右バーと左バーの長さを変えて芯違い扉に対応し、扉の左右勝手に合わせて両バーの向きを変える機構を示す。  Ｂ，特願２００６−１７３０７８の、振れ止めの右バーや左バーに延長バーを付け足して芯違い扉に対応する仕組みを示す。
【図７】実施例１を示し、図１の操作部や振れ止めバーを上下に分けたことを示す。
【図８】実施例２示し、羽根型の振れ止めバーを使い、操作部や振れ止めバーを上下に分けたことを示す。
【図９】図８のＡ位置水平断面図を示す。
【符号の説明】
【００２５】
１        錠ケース
２        錠ケースフロント
３        取り付けネジ
４        デッドボルト
５        ラッチボルト
６        シリンダー組み付け穴
７        ダルマ
８        シリンダー軸受け穴
９        外側操作部
１０      内側操作部
１１      外側操作部軸
１２      内側操作部軸
１３      外バー
１４      内バー
１５      外スライダー
１６      内スライダー
１７      固定軸
１８      固定軸
１９      ネジ
２０      ネジ
２１      ラッチカム軸
２２      扉
２３      扉芯
２４      外側扉厚
２５      内側扉厚
２６      外バー
２７      内バー
２８      内バー軸
２９      戻しバネ
３０      プッシャー
３１      錠ケース
３２      錠ケースフロント
３３      操作部
３４      操作部軸
３５      ネジ
３６      スライダー
３７      左バー
３８      右バー
３９      固定軸
４０      振れ止め
４１      スライダー
４２      押しバー
４３      押しレバー
４４      延長バー
【図１】
2008045282.tif 000003
【図２】
2008045282.tif 000004
【図３】
2008045282.tif 000005
【図４】
2008045282.tif 000006
【図５】
2008045282.tif 000007
【図６】
2008045282.tif 000008
【図７】
2008045282.tif 000009
【図８】
2008045282.tif 000010
【図９】
2008045282.tif 000011